(57)【要約】      （修正有）【課題】空になった箱を再利用して新箱と空箱を組み合わせ、使用した紙をその空箱に一時保管できるように組み立てて使用する事で衛生的、清潔感、美観上、利便状、非常に取扱いが良くなるティッシュ箱を提供する。【解決手段】ティッシュ箱１５同士を接着できる接着テープ１を付属しておき、ティッシュを使用して空になった空箱と新箱を接着テープ１で組み合わせ、使用した紙をその空箱に一時保管できるようにする。【選択図】図１
0003190268.tif 000002
【実用新案登録請求の範囲】
【請求項１】
ティッシュ箱において、ティッシュ箱同士を接着できる接着テープを付属したことを特徴とするティッシュ箱。
【考案の詳細な説明】
【技術分野】
【０００１】
本考案はティッシュの新箱に接着テープを付属しておき、接着テープにより空箱と新箱の組み合わせに関するものである。
【背景技術】
【０００２】
ティッシュ箱から取り出し使用した紙は丸められ、座っている机の上に一時置いておくか、又、風邪を患い寝床の枕元、新聞紙の上に置いておくのが現状である。そうしたことより病原菌を拡散させ衛生的でなく、美観上、利便上、良いことではない。
【先行技術文献】
【特許文献】
【０００３】
【特許文献１】特開２００５−１５３９９５ティッシュスタンド
【特許文献２】特開２００５−００８８７１両面自己粘着フォームシート
【特許文献３】特開２００１−３１５８６６壁掛け式ティッシュ箱重ね収納器
【特許文献４】特開平０９−２６７８７５箱型ティッシュペーパーの乱れ隠しカバー
【特許文献５】実開平０４−０７７４００
【特許文献６】実開昭６１−１９４６７４
【特許文献７】実開昭６１−０９９５２９
【特許文献８】実登３１６２３７２ティッシュ箱保持具
【特許文献９】実登３１１９４１０どこでもティッシュ
【特許文献１０】実登３０８１７２３車用ティッシュ箱安置装置
【特許文献１１】実登３０２１０３０自動車フロントシート間用多機能収
【考案の概要】
【考案が解決しようとする課題】
【０００４】
ティッシュを使用した、使用済みの丸められた紙が散乱し周囲が見苦しく不潔で衛生的でなかった。
【課題を解決するための手段】
【０００５】
本考案は空になった箱を再利用して新箱と空箱を組み合わせ、使用した紙をその空箱に一時保管できるように組み立て使用するものである。
そうした事で衛生的、清潔感、美観上、利便状、非常に取扱いが良くなる。
箱を組み立てるために使用するテープは下記の方法で新箱に付属させて置く。
１．剥離紙のついた接着テープをティッシュ箱の上下面、側面のいずれかに接着し貼り付けて置く。      
２．ティッシュ箱を最初に開けたときに取り出せる位置に内蔵しておく。
３．ティッシュ箱に袋を取り付け、その中に接着テープを入れておく。
上記に記載したように、接着テープをティッシュ箱の新箱に付属しておけば、
任意の時に接着テープを入手でき、ティッシュ箱の空箱と新箱を容易に組合せる事ができる。
【考案の効果】
【０００６】
・  新しいティッシュの箱に空の捨てるべき箱を組合せることで、空箱の再利用が出来る。
・  新箱と空箱を組み合わせたことで使用した紙は空箱に一時保管ができる。
・  使用して丸められた紙は散乱しなくなる。
・  病原菌を拡散させることがなくなり衛生的で、清潔感、美観上、利便性、環境が非常に良くなる。
・  幼い子供にも組み立てられ、それを眺める親心は癒される。
【図面の簡単な説明】
【０００７】
【図１】本考案のティッシュ箱の例（ａ）剥離紙のついた接着テープをティッシュ箱に接着し貼り付けた例。（ｂ）ティッシュ箱を最初に開けたとき、取り出せる位置に接着テープを内蔵した例。（ｃ）ティッシュ箱に袋を取り付け、その中に接着テープを入れた例。
【図２】接着テープを貼り付けたティッシュの新箱を裏返して横に置いた図である。
【図３】空箱の剥離紙を剥がした接着テープを新箱の裏に貼り付けた図である。
【図４】図３の貼り合わせた新箱と空箱の合わせ部を接着テープに蝶番機能を持たせて矢印（７）のように新箱を回転させ空箱が下、新箱が上になった組み上がり図である。
【図５】新箱の側面の両端に取り付けた両面テープ（１０）の剥離紙（９）を剥がした図である。
【図６】ティッシュを使用した空箱で剥離紙（９）が付いた図である。
【図７】新箱と空箱を両面テープ（１０）で接着した組み上がり図である。
【図８】新箱の図で、裏返した空箱に接続する剥離紙のついた接着テープが取り付けられた図である。
【図９】ティッシュの空箱で、新箱の接着テープを貼り付けるため裏返して横に置いた図である。
【図１０】新箱の剥離紙を剥がした接着テープを空箱の裏に貼り付けた図である。
【図１１】貼り合わせた空箱と新箱の合わせ部で、接着テープに蝶番機能を持たせて矢印（７）のように空箱を回転させ新箱が下、空箱が上になった組み上がり図である。
【図１２】「図１」「図８」の端面を表す詳細図である。
【図１３】「図４」の写真である。
【図１４】「図７」の写真である。
【図１５】「図１１」の写真である。
【図１６】新箱の図で、「図１７」のように上に重ねる空箱に接続する剥離紙のついた接着テープが取り付けられた図である。
【図１７】新箱の剥離紙を剥がした接着テープを上に重ねた空箱の側面に貼り付け（６）た図である。
【図１８】新しいティッシュを取り出すため、上に重ねた空箱を「図１７」の合わせ部の接着テープに蝶番機能を持たせて矢印（７）のように空箱を回転させ新しいティッシュが取り出せる状態になった図である。
【図１９】付属させた接着テープ（１４）で、新箱と空箱の両端面の表裏を端面に平行に接着した図である。
【図２０】付属させた接着テープ（１４）で、新箱と空箱の両端面の表裏を合わせ目に沿って接着した図である。
【図２１】付属させた接着テープ（１４）で、新箱と空箱の両端面の合わせ目を接着した図である。
【考案を実施するための形態】
【０００８】
ティッシュを使用して空になった空箱を再利用し、新箱の側面、又は上下面に空箱を組み合わせ組み立て、使用した紙を空箱に一時保管できるようにする。
【実施例】
【０００９】
実施例１について説明する。
「図４」に示す仕上がり図は空箱を下側、新しい箱が上側になるように組み立て使用する場合である。
「図１」より、箱を組み立てる接着テープ（１）は、箱の両端の上面に接着テープで箱に直接貼り付けておく。「図１２」より、箱の側面部は接着テープが箱に接着しないように剥離紙（２）のついた接着テープを巻き付け、箱の底部分（３）は約5ｍｍくらい剥離紙を剥し接着テープを安定させるため箱の底に貼り付けて置く。
「図１」の（ａ）は、空箱を置いた図である。
「図２」は、新箱を裏返して置いた図である。
新箱に並べて置く空箱は「図１２」の底に貼り付けた接着テープ（３）の（４）の所をカッターで切り離すか剥がして取り除いておく。
「図３」は、「図１」のシール用透明ビニール（５）を取り除いた空箱の横に新箱を裏返して並べ両方の箱を合わせ、空箱の剥離紙を剥がした接着テープで裏返した新箱の底に接着（６）させる。
空箱と新箱の接続した合わせ目の接着テープに蝶番機能を持たせて矢印（７）ように裏返した新箱を回転させるように起こすと「図４」に示す仕上がり図の完成である。
使用した紙は「図３」の空箱の（１１）の部分に（８）のように入れ、新しい箱を起こすと「図４」新しい箱は、空箱の上になり衛生的で清潔感、美観上、利便上、気持よく使用出来る。
【００１０】
実施例２について説明する。
「図７」に示す仕上がり図は新しい箱の側面に空箱を並べて固着させ使用する場合である。
「図５」は、新箱に取り付けている両面テープ（９）の剥離紙を外し、接着できる状態（１０）にして新箱を置いた図である。
「図６」は、剥離紙が付いている両面テープ（９）の付いた空箱を置いた図である。
剥離紙（９）を剥がし接着できる状態（１０）にした「図５」の新箱を「図６」の空箱の側面（１２）に並べ接続すると「図7」に示す仕上がり図の完成である。              
図６のシール用透明ビニール（５）を取り除く。
「図７」より、空箱側の両面テープについている剥離紙（９）は、剥がれやすいため取り除き粘着（１０）を防ぐためティッシュか紙を粘着部に貼り粘着テープの周囲をカッターで切り取りベトつきを防止する。
【００１１】
実施例３について説明する。
「図１１」に示す仕上がり図は空箱を上側、新しい箱が下側になるように組み立て使用する場合である。それを説明する。
「図８」より、箱を組み立てる接着テープ（１）は、箱の両端の上面に接着テープで箱に直接貼り付けておく。「図１２」より、箱の側面部は接着テープが箱に接着しないように剥離紙（２）のついた接着テープを巻き付け、箱の底部分（３）は≒5ｍｍ位、剥離紙を剥し接着テープを安定させるため箱の底に貼り付けて置く。
「図８」は、新箱を置いた図である。
「図９」は、空箱を裏返して置いた図である。
空箱に並べて置く新箱は、「図１２」の底に貼り付けた接着テープ（３）の（４）の所をカッターで切り放すか、剥がして取り除いておく。
「図１０」は、「図１」のシール用透明ビニール（５）を取り除いた空箱を新箱の横に裏返して並べ両方の箱を合わせ、新箱の剥離紙を剥がした接着テープで裏返した空箱の底に接着（６）させる。
新箱と空箱の接続した合わせ目の接着テープに蝶番機能を持たせて矢印（７）のように裏返した空箱を回転させ起こすと「図１１」に示す仕上がり図の完成である。
接着テープに蝶番機能を持たせ重ねた部分で矢印（７）の逆に空箱を起こしティッシュを取り出し、使用した紙は「図１１」の空箱（１１）に入れて使用する。新しい箱は、空箱の下になりティッシュに埃がつかず、ティッシュは衛生的で清潔感、美観上、利便上、気持よく使用出来る。
【００１２】
実施例４について説明する。
「図１７」に示す仕上がり図は新しい箱が下側、空箱が上側になるように組み立て使用する場合で「図１１」と同じであるが箱を接続させる接着テープの扱い方が違う。
「図１６」より、箱を組み立てる接着テープ（１）は、箱の両端の側面に接着テープで箱に直接貼り付ける。箱の上面部は接着テープが箱に接着しないように剥離紙（２）のついた接着テープを巻き付け、箱の上面部分（３）は≒5ｍｍ位、剥離紙を剥しテープを安定させるため箱の上面に貼り付けて置く。
「図１６」は、剥離紙のついた接着テープを取り付けた新箱を置いた図である。
「図１６」の箱の表に貼り付けた接着テープ（３）を（４）の所で、カッターで、切り離すか剥して取り除いて置く。
「図１７」は、新箱の上に「図１」のシール用透明ビニール（５）を取り除いた空箱を上向きに載せ「図１６」で剥離紙（２）を外した接着テープで上に載せた空箱の側面に接着（６）させる。
空箱と新箱の接続した合わせ目で上側の空箱を「図１７」の矢印（７）のように空箱を回転させるように起こし開けると「図１８」になり新しいティッシュが取り出せる。再び空箱を矢印（７）の逆に回転させると「図１７」になり使用した紙は空箱の（１１）に（８）のように入れ使用することが出来る。
（空箱を下側、新しい箱が上側になるように組み立てる場合も箱の重ね方が違うだけで同じである）
【００１３】
「図１９」、「図２０」、「図２１」に示す仕上がり図は梱包時に付属させておいた接着テープで新箱と空箱を固着させた物で「図７」の仕上がり図と同じである。
【符号の説明】
【００１４】
１    新箱に貼り付けた接着テープ。
２    剥離紙。
３    巻き付けた接着テープを安定させるため箱に貼り付けた部分。
４    箱を接続する時に剥離紙を剥がす必要がありカッターで、切り離すか剥がして取り除く部分。
５    新箱のティッシュ取り出し口に付いているシール用透明ビニール。
６    剥離紙を取り除き接続させた箱に接着テープを張り付けた位置。
７    箱の合わせ目を接着テープに蝶番機能を持たせ上側の箱を回転させる矢印。
８    使用したティッシュを入れた状態を示す。
９    新箱に取り付けている両面テープの粘着を防止する剥離紙。
１０  剥離紙を取り除いた両面テープの粘着部。
１１  シール用透明シール（５）を取り除いた状況を示す。
１２  接着テープを取り付けたティッシュ箱の端面詳細図。
１３  剥離紙のついた不要になった接着テープを切り取った位置。
１４  梱包時入れて置いた接着テープで箱を接続させる位置。
１５  ティッシュ箱
１６  接着テープ
１７  接着テープ収納用袋
【図１】
0003190268.tif 000003
【図２】
0003190268.tif 000004
【図３】
0003190268.tif 000005
【図４】
0003190268.tif 000006
【図５】
0003190268.tif 000007
【図６】
0003190268.tif 000008
【図７】
0003190268.tif 000009
【図８】
0003190268.tif 000010
【図９】
0003190268.tif 000011
【図１０】
0003190268.tif 000012
【図１１】
0003190268.tif 000013
【図１２】
0003190268.tif 000014
【図１３】
0003190268.tif 000015
【図１４】
0003190268.tif 000016
【図１５】
0003190268.tif 000017
【図１６】
0003190268.tif 000018
【図１７】
0003190268.tif 000019
【図１８】
0003190268.tif 000020
【図１９】
0003190268.tif 000021
【図２０】
0003190268.tif 000022
【図２１】
0003190268.tif 000023